(57)【要約】【課題】装置本体の操作面を開閉するように回転自在に支持された蓋体の両面にディスプレイが設けられたノート型の情報処理装置において、蓋体の開閉の各状態での表裏各ディスプレイの表示のオン／オフと表示の向きを高い自由度で選択することを可能とする。【解決手段】表裏の各ディスプレイの開時および閉時の表示のオン／オフと表示の向きを設定しておき、この設定内容に応じて、蓋体の開時および閉時の、表裏各ディスプレイの表示のオン／オフと表示の向きを制御する。これにより、操作者から見て、蓋体開時での裏側のディスプレイ上の表示データの向きと、蓋体閉時での表側のディスプレイ上の表示データの向きが上下左右とも同一となり、操作者が情報処理装置を蓋体を開いた状態と閉じた状態とで切り換えて利用する場合の表裏各ディスプレイの利用性が向上する。【選択図】図７
2005316656.tif 000002
【特許請求の範囲】
【請求項１】
操作面を有する本体と、
前記本体にヒンジを介して回動可能に取り付けられる蓋体と、
前記蓋体の有する面のうち、前記蓋体が前記本体に対して閉時の状態において、前記本体の操作面と対向する第1の面に取り付けられる第1の表示部と、
前記蓋体の有する面のうち、前記第1の面と対向する第２の面に取り付けられる第２の表示部と、
前記蓋部が開時および閉時における前記第１の表示部および前記第２の表示部の表示の向きを設定する設定部と、
前記蓋部の開時および閉時を検知する検知部と、
前記検知部による検知結果および前記設定部の設定内容に基いて、前記第１の表示部および前記第２の表示部の表示の向きを制御する制御部と、
を具備することを特徴とする情報処理装置。
【請求項２】
前記設定部は、
前記蓋部の開時から閉時に移行する際、前記第２の表示部に表示されている表示内容を所定の角度回転させて表示するように設定することを特徴とする請求項１記載の情報処理装置。
【請求項３】
前記設定部は、
前記蓋部の開時および閉時における前記第１の表示部および前記第２の表示部の表示のオン／オフを設定することを特徴とする請求項１記載の情報処理装置。
【請求項４】
操作面を有する本体と、
前記本体に回動可能に取り付けられる蓋体と、
前記蓋体の有する面のうち、前記蓋体が前記本体に対して閉時において、前記本体の操作面と対向する第1の面に取り付けられる第1の表示部と、
前記蓋体の有する面のうち、前記第1の面と対向する第２の面に取り付けられる第２の表示部と、
前記蓋部が開時および閉時における前記第１の表示部および前記第２の表示部の表示のオン／オフと表示の向きを設定する設定部と、
前記蓋部の開時および閉時を検知する検知部と、
前記検知部による検知結果および前記設定部の設定内容に基いて、前記第１の表示部および前記第２の表示部の表示のオン／オフと表示の向きを制御する制御部と
を具備することを特徴とする情報処理装置。
【請求項５】
前記設定部は、前記蓋体の閉時において前記本体の操作面に対向する表示部である前記第１の表示部の表示データの向きを固定とし、この第１の表示部の表示データの向きを基準として、前記第２の表示部に表示させる表示データの回転角度を設定することを特徴とすることを特徴とする請求項４に記載の情報処理装置。
【請求項６】
前記回転角度は、０度および１８０度を含む選択肢の中から設定可能であることを特徴とする請求項５に記載の情報処理装置。
【請求項７】
本体の操作面を開閉するように前記本体に回転自在に支持された蓋体の表裏両面に第１の表示部および第２の表示部を備えた情報処理装置の表示制御方法であって、
前記第１の表示部および前記第２の表示部の開時および閉時における表示のオン／オフと表示の向きを設定しておき、この設定内容に応じて、前記蓋体の開時および閉時の、前記第１の表示部および前記第２の表示部の表示のオン／オフと表示の向きを制御することを特徴とする情報処理装置の表示制御方法。
【請求項８】
前記第１の表示部および前記第２の表示部の開時および閉時の表示のオン／オフと表示の向きの設定に関し、前記蓋体の閉時において前記本体の操作面に対向する表示部である前記第１の表示部の表示データの向きを固定とし、この第１の表示部の表示データの向きを基準として、前記第２の表示部に表示させる表示データの回転角度を設定することを特徴とすることを特徴とする請求項７に記載の情報処理装置の表示制御方法。
【請求項９】
前記回転角度は、０度および１８０度を含む選択肢の中から設定可能であることを特徴とする請求項８に記載の情報処理装置の表示制御方法。
【発明の詳細な説明】
【技術分野】
【０００１】
本発明は、たとえばノート型のパーソナルコンピュータのように、コンピュータ本体の操作面を開閉するようにコンピュータ本体に対して回転自在に支持された蓋体を有し、かつその蓋体の表裏両面にディスプレイを備えた情報処理装置とその表示制御方法に関する。
【背景技術】
【０００２】
たとえばノート型のパーソナルコンピュータなどの情報処理装置は、装置本体の操作面を開閉するように装置本体に対して回転自在なディスプレイ付きの蓋体を備えている。蓋体を装置本体から開くように回転させると、情報処理装置の操作者から見て正面にディスプレイが現れるように、ディスプレイは蓋体の裏側に配置されている。
【０００３】
このように蓋体の裏側に設けられた形態のディスプレイは、情報処理装置を個人的に利用する範囲では十分構成であるといえるが、たとえば、対面形式で他者との間で業務や教育などを目的としたプレゼンテーションを行う場合には不向きである。
【０００４】
そこで、蓋体の表裏両側にディスプレイを配置して、各々ディスプレイに同時に同一のデータの表示を行うことで、プレゼンテーション用途などに好適な情報処理装置が考えられている（たとえば特許文献１などを参照）。
【特許文献１】特開平５−５３９９１号公報（段落０００６など）
【０００５】
ところで、この種の情報処理装置の表側のディスプレイは専らプレゼンテーション用途に限定されており、操作者の個人的な用途での利用性に欠く。すなわち、表側のディスプレイは蓋体を装置本体に閉じた状態とすることで操作者から見えるようになるが、この際、表側ディスプレイの表示データの向きは操作者から見て上限が逆になっているからである。
【０００６】
蓋体を開いた状態での裏側のディスプレイ上の表示データと蓋体を閉じた状態での表側のディスプレイ上の表示データとの向きを一致させる方法として、特許文献２には、透過型液晶表示板の両面にスクリーン用の液晶を配置し、蓋体の開閉の状態に応じて、スクリーン用の液晶の透過／遮光状態の切り替えと、透過型液晶表示板の操作方向の切り替えを行う技術が記載されている。
【特許文献２】特開平６−１９５１５１号公報
【０００７】
しかしながら、この方式では、蓋体を開いた状態において、ディスプレイの表裏両側より表示データを見れるような構成としても、その表裏両側より見える各々の表示データの左右の向きが逆さまとなり、プレゼンテーションへの利用には不向きである。
【発明の開示】
【発明が解決しようとする課題】
【０００８】
本発明は、このような課題を解決するためになされたものであり、蓋体の開閉の各状態での表裏各ディスプレイの表示の向きを高い自由度で選択することのできる情報処理装置と表示制御方法を提供することを目的としている。
【課題を解決するための手段】
【０００９】
かかる目的を達成するために、本発明の情報処理装置は、操作面を有する本体と、本体にヒンジを介して回動可能に取り付けられる蓋体と、蓋体の有する面のうち、蓋体が本体に対して閉時の状態において、本体の操作面と対向する第1の面に取り付けられる第1の表示部と、蓋体の有する面のうち、第1の面と対向する第２の面に取り付けられる第２の表示部と、蓋部が開時および閉時における第１の表示部および第２の表示部の表示の向きを設定する設定部と、蓋部の開時および閉時を検知する検知部と、検知部による検知結果および設定部の設定内容に基いて、第１の表示部および第２の表示部の表示の向きを制御する制御部とを具備することを特徴とする。
【００１０】
ここで、設定部は、蓋部の開時から閉時に移行する際、前記第２の表示部に表示されている表示内容を所定の角度回転させて表示するように設定するものとしてもよい。より具体的には、設定部は、前記蓋体の閉時において前記本体の操作面に対向する表示部である前記第１の表示部の表示データの向きを固定とし、この第１の表示部の表示データの向きを基準として、前記第２の表示部に表示させる表示データの回転角度を設定する。さらに、設定部は、蓋部の開時および閉時における前記第１の表示部および前記第２の表示部の表示のオン／オフを設定するものであってよい。
【００１１】
この発明により、蓋体の開閉の各状態での第１の表示部と第２の表示部の表示の向きを高い自由度で選択することができる。たとえば、蓋体の閉時での表側のディスプレイ上の表示データの向きを上下１８０度回転とすることで、操作者から見て、蓋体の開時での裏側のディスプレイ上の表示データの向きと、蓋体の閉時での表側のディスプレイ上の表示データの向きを上下左右とも同一にすることができる。また、蓋体の開時において、表裏両側のディスプレイに同一の向きの表示データを同時に表示させることもできる。
【発明の効果】
【００１２】
本発明の情報処理装置および表示制御方法によれば、蓋体の開閉の各状態での第１の表示部と第２の表示部の表示の向きを高い自由度で選択することができる。
【発明を実施するための最良の形態】
【００１３】
以下、図面を参照して本発明の実施の形態について説明する。
【００１４】
図１は、本発明の一実施形態にかかる情報処理装置１００の外観を示す斜視図、図２および図３は情報処理装置１００の側面図である。
【００１５】
これらの図に示すように、この情報処理装置１００は、装置本体１と蓋体２とで構成される。装置本体１にはキーボード３やトラックパッド４などが配設された操作面５が設けられている。蓋体２は、図２に示すように、装置本体１の操作面５を開閉するように装置本体１に図示しないヒンジ機構により回転自在に支持されている。より具体的には、蓋体２は、装置本体１の上記の操作面５を露出するように当該操作面５に対して所定角度に起立した姿勢と、図３に示すように、操作面５を覆うように横臥させた姿勢との間で、両端が装置本体１に支持された軸６に回転自在に支持されている。
【００１６】
また、図２および図３に示すように、蓋体２は、バックライトのための蛍光管１１および導光板１２と、導光板１２の両側に偏向板１３，１４を挟んで貼り合わされた液晶構造部１５，１６とで構成される。導光板１２は蛍光管１１の光を面光源にするためのものである。
【００１７】
図４は、この情報処理装置１００の電気的なハードウェア構成を示すブロック図である。この情報処理装置１００は、全体の制御を行うＣＰＵ（Central Processing Unit)２１と、メインメモリ２２と、グラフィックコントローラ２３と、描画処理用のＶＲＡＭ(Video Random Access Memory)２４と、ＬＣＤ（Liquid Crystal Display）などの２つのディスプレイ２５、２６と、外部記憶部としてのＨＤＤ（Hard Disk Drive）２７と、ＢＩＯＳ（Basic Input Output System）２８と、ＥＣ（Embedded Controllers）２９と、２つのディスプレイ２５、２６の表示設定の切り替えを手動で行うためのディスプレイ切替設定スイッチ３０と、蓋体２の回転角度を検出するセンサー３１と、ＣＰＵ２１、メインメモリ２２、グラフィックコントローラ２３および第２のブリッジ回路３２の間でのデータのやりとりを制御する第１のブリッジ回路３３と、ＨＤＤ１７、ＢＩＯＳ２８、ＥＣ２９および第１のブリッジ回路３３の間でのデータのやりとりを制御する第２のブリッジ回路３２とを備えて構成される。
【００１８】
２つのディスプレイ２５、２６は、蓋体２の液晶構造部１５，１６に対応するものである。２つのディスプレイ２５、２６は、グラフィックコントローラ２３から表示データの供給を受けて表示動作を行う。ＶＲＡＭ２４には、各々のディスプレイ２５、２６に対応したメモリ空間が設けられており、グラフィックコントローラ２３は、ＶＲＡＭ２４の２つのメモリ空間に対して表示データの描画処理を行う。また、グラフィックコントローラ２３は、ＥＣ２９からの制御情報に基づいて、２つのディスプレイ２５、２６の表示のＯｎ／Ｏｆｆおよび表示の向き（回転無し、左９０度回転、右９０度回転、上下１８０度回転）を制御することが可能である。
【００１９】
ＥＣ２９は、レジスタとして、ディスプレイ切替設定スイッチ３０の切替設定内容に対応するディスプレイ切替設定情報を保持するディスプレイ切替設定情報レジスタ４１と、各々のディスプレイ切替設定情報に対する２つのディスプレイ２５、２６の開閉時の表示のＯｎ／Ｏｆｆおよび表示の向き（回転無し、左９０度回転、右９０度回転、上下１８０度回転）を記述したディスプレイ切替設定テーブルを格納したディスプレイ切替設定テーブルレジスタ４２とを有している。
【００２０】
図５に、ディスプレイ切替設定テーブルの例を示す。なお、裏側のディスプレイ２６は、蓋体２が装置本体１に対して閉時の状態において、蓋体２の、装置本体１の操作面５と対向する第1の面に取り付けられた第１の表示部であり、第1の面と対向する第２の面には第２の表示部である表側のディスプレイ２５が配置されている。
【００２１】
ディスプレイ切替設定情報が”０００１”のとき、裏側のディスプレイ２６は、開時に表示Ｏｎで表示の向きは”回転無し”、閉時に表示Ｏｆｆとする。表側のディスプレイ２５は常に表示Ｏｆｆとする。
【００２２】
ディスプレイ切替設定情報が”００１０”のとき、裏側のディスプレイ２６は、開時に表示Ｏｎで表示の向きは”回転無し”、閉時に表示Ｏｆｆとする。表側のディスプレイ２５は、開時に表示Ｏｆｆ、閉時に表示Ｏｎで表示の向きは”上下１８０度回転”とする。
【００２３】
ディスプレイ切替設定情報が”００１１”のとき、裏側のディスプレイ２６は、開時に表示Ｏｎで表示の向きは”回転無し”、閉時に表示Ｏｆｆとする。表側のディスプレイ２５は、開時に表示Ｏｆｆ、閉時に表示Ｏｎで表示の向きは”左９０度回転”とする。
【００２４】
ディスプレイ切替設定情報が”０１００”のとき、裏側のディスプレイ２６は、開時に表示Ｏｎで表示の向きは”回転無し”、閉時に表示Ｏｆｆとする。表側のディスプレイ２５は、開時に表示Ｏｆｆ、閉時に表示Ｏｎで表示の向きは”右９０度回転”とする。
【００２５】
ディスプレイ切替設定情報が”０１０１”のとき、裏側のディスプレイ２６は、開時に表示Ｏｎで表示の向きは”回転無し”、閉時に表示Ｏｆｆとする。表側のディスプレイ２５は、開時に表示Ｏｎで表示の向きは”回転無し”、閉時に表示Ｏｆｆとする。
【００２６】
ディスプレイ切替設定情報が”０１１０”のとき、裏側のディスプレイ２６は、常に表示Ｏｆｆとする。表側のディスプレイ２５は、開時に表示Ｏｆｆ、閉時に表示Ｏｎで、表示の向きは”上下１８０度回転”とする。
【００２７】
ディスプレイ切替設定情報が”０１１１”のとき、裏側のディスプレイ２６は、開時に表示Ｏｎで表示の向きは”回転無し”、閉時に表示Ｏｆｆとする。表側のディスプレイ２５は、開時に表示Ｏｎで表示の向きは”回転無し”、閉時に表示Ｏｎで表示の向きは”上下１８０度回転”とする。
【００２８】
ディスプレイ切替設定情報が”１０００”のとき、裏側のディスプレイ２６は、開時に表示Ｏｎで表示の向きは”回転無し”、閉時に表示Ｏｆｆとする。表側のディスプレイ２５は、開時に表示Ｏｆｆ、閉時に表示Ｏｎで表示の向きは”回転無し”とする。
【００２９】
ディスプレイ切替設定スイッチ３０は、図１に示すように、たとえば装置本体１などに設けられ、たとえばユーザが指で直接操作可能な押し釦式のスイッチである。ＥＣ２９はディスプレイ切替設定スイッチ３０の操作を監視しており、ディスプレイ切替設定スイッチ３０の切替設定内容に対応するディスプレイ切替設定情報をディスプレイ切替設定情報レジスタ４１にセットする。
【００３０】
ユーザが自分の設定したディスプレイ切替設定情報の内容を認識し得るように、ディスプレイ切替設定スイッチ３０の切替設定内容に応じて、２つのディスプレイ２５、２６の開閉時各々の表示のＯｎ／Ｏｆｆおよび表示の向きを示す文字や画像などの視覚的な情報を、たとえば一方のディスプレイ（たとえば裏側のディスプレイ２６）に表示させるようにしてもよい。
【００３１】
なお、ディスプレイ切替設定情報の設定には、上記のディスプレイ切替設定スイッチ３０を用いた方法以外に、たとえば一方のディスプレイ（たとえば裏側のディスプレイ２６）にディスプレイ切替設定用のＧＵＩ（Graphical User Interface）を表示し、このＧＵＩ上で、装置本体１のキーボード３などを操作して所望の項目を選択する方法が考えられる。
【００３２】
また、ＥＣ２９は、センサー３１の出力に基づいて蓋体２の開閉の各状態を検知する。より具体的には、装置本体１の操作面５に対して蓋体２が閉じた状態から所定角度まで開かれた状態、および、装置本体１の操作面５に対して一杯に開いた状態から所定角度まで閉じられた状態を検知する。そしてＥＣは、各々の検知結果と、ディスプレイ切替設定情報レジスタ４１にセットされたディスプレイ切替設定情報およびディスプレイ切替設定テーブルレジスタ４２に保持されたディスプレイ切替設定テーブルの内容に基づいて、グラフィックコントローラ２３に出力する制御情報を生成する機能を有している。この制御情報は、２つのディスプレイのＯｎ／Ｏｆｆおよび表示の向きを指定する情報を含む。
【００３３】
次に、この情報処理装置１００における表裏２つのディスプレイ２５，２６の表示制御について説明する。
【００３４】
図６は、表裏２つのディスプレイ２５、２６の表示制御の流れを示す図である。
【００３５】
例として、ディスプレイ切替設定情報に”００１０”が設定され、蓋体２が装置本体１の操作面５に対して所定角度まで起こされた状態（たとえば図２の状態）にあるものとする。蓋体２が完全に閉じられたとき（たとえば図３の状態）の蓋体２の回転角度を０度として、蓋体２が装置本体１の操作面５に対して所定角度まで起こされたときの回転角度はたとえば１００度とする。
【００３６】
蓋体２が装置本体１の操作面５に対して所定角度まで起こされた時点では、ＥＣ２９は、ディスプレイ切替設定テーブルから”００１０”のディスプレイ切替設定情報に対応する蓋体開時に関する情報を読み込み、この読み込んだ情報に基づき、裏側のディスプレイ２６の表示をＯｎ、その表示の向きを回転無しとし、表側のディスプレイ２５の表示をＯｆｆにするようにグラフィックコントローラ２３に対して制御情報を出力する。グラフィックコントローラ２３は、この制御情報を受けて、裏側のディスプレイ２６の表示のみをＯｎとし、回転無しの通常の向きの表示データをＶＲＡＭ２４上で生成して裏側のディスプレイ２６に供給する。
【００３７】
この状態から蓋体２がユーザによって徐々に閉じられて行くと、センサー３１の出力である回転角度の値が徐々に低くなって行く。
【００３８】
ＥＣ２９は、センサー３１の出力を基に蓋体２の回転角度を監視している（ステップＳ１０１）。ＥＣ２９は、複数のサンプリング点でのセンサー３１の出力を基に蓋体２の回転角度が減少過程（蓋体２が閉じられる過程）であるか増大過程（蓋体２が開かれる過程）であるかを判断する（ステップＳ１０２）。
【００３９】
今回ＥＣ２９は、蓋体２の回転角度が減少過程であることを判断し（ステップＳ１０２の減少）、さらに、その回転角度が所定角度（たとえば６０度）まで減少したことを検知すると（ステップＳ１０３のＹＥＳ）、ステップＳ１０４へ進む。回転角度が所定角度（たとえば６０度）まで減少していない場合にはステップＳ１０１のセンサー３１の出力の監視に戻る。
【００４０】
ステップＳ１０４では、ＥＣ２９は、ディスプレイ切替設定テーブルから”００１０”のディスプレイ切替設定情報に対応する蓋体閉時の情報を読み込む。そして、ＥＣ２９は、読み込んだ情報に基づき、裏側のディスプレイ２６の表示をＯｆｆとするとともに、表側のディスプレイ２５の表示をＯｎとし、その表側のディスプレイ２５の表示の向きを上下１８０度回転させるようにグラフィックコントローラ２３に対して制御情報を出力する（ステップＳ１０５）。
【００４１】
グラフィックコントローラ２３は、この制御情報を受けると、裏側のディスプレイ２６の表示をＯｆｆ、表側のディスプレイ２５の表示をＯｎとし、通常の向きの表示データに対して上下１８０度回転させた表示データをＶＲＡＭ２４上で作成して表側のディスプレイ２５に供給する。
【００４２】
次に、蓋体２が閉じた状態から開かれる時の動作を説明する。
【００４３】
蓋体２が閉じた状態において、センサー３１の出力である蓋体２の回転角度は０度とする。この時点では、ＥＣ２９はディスプレイ切替設定テーブルから”００１０”のディスプレイ切替設定情報に対応する蓋体閉時の情報を読み込み、この読み込んだ情報に基づき、裏側のディスプレイ２６の表示をＯｆｆ、表側のディスプレイ２５の表示をＯｎとし、その表側のディスプレイ２５の表示の向きを上下１８０度回転させるようにグラフィックコントローラ２３に制御情報を出力する。グラフィックコントローラ２３は、この制御情報を受けると、裏側のディスプレイ２６の表示をＯｆｆ、表側のディスプレイ２５の表示をＯｎとし、通常の向きの表示データに対して上下１８０度回転させた表示データをＶＲＡＭ２４上で作成して表側のディスプレイ２５に供給する。
【００４４】
この状態から蓋体２がユーザによって徐々に開かれて行くと、センサー３１の出力である回転角度の値が徐々に増大して行く。
【００４５】
ＥＣ２９は、センサー３１の出力を基に蓋体２の回転角度を監視している（ステップＳ１０１）。ＥＣ２９は、複数のサンプリング点のセンサー３１の出力を基に蓋体２の回転角度が減少過程（蓋体２が閉じられる過程）であるか増大過程（蓋体２が開かれる過程）であるかを判断する（ステップＳ１０２）。
【００４６】
今回ＥＣ２９は、蓋体２の回転角度が増大過程（蓋体２が開かれる過程）であることを判断し（ステップＳ１０２の増大）、さらに、その回転角度が所定角度（たとえば３０度）まで増大したことを検知すると（ステップＳ１０６のＹＥＳ）、ステップＳ１０７に進む。
【００４７】
ステップＳ１０７では、ＥＣ２９は、ディスプレイ切替設定テーブルから”００１０”のディスプレイ切替設定情報に対応する蓋体開時の情報を読み込む。そして、ＥＣ２９は、読み込んだ情報に基づき、裏側のディスプレイ２６の表示をＯｎ、表示の向きを回転無しとし、表側のディスプレイ２５の表示をＯｆｆにするようにグラフィックコントローラ２３に対して制御情報を出力する（ステップＳ１０８）。
【００４８】
グラフィックコントローラ２３は、この制御情報を受けて、裏側のディスプレイ２６の表示のみをＯｎとし、回転無しの通常の向きの表示データをＶＲＡＭ２４上で生成して裏側のディスプレイ２６に供給する。
【００４９】
これにより、図７に示すように、操作者から見て、蓋体２の開時での裏側のディスプレイ２６上の表示データの向きと、蓋体２の閉時での表側のディスプレイ２５上の表示データの向きが上下左右とも同一となり、操作者が情報処理装置１００を蓋体２を開いた状態と閉じた状態とで切り換えて利用する場合の表裏各ディスプレイ２５、２６の利用性が向上する。
【００５０】
この情報処理装置１００では、ディスプレイ切替設定情報として”００１１”が設定された場合には、図８に示すように、蓋体２の閉時には表側のディスプレイ２５のみ表示がＯｎとなり、その表側のディスプレイ２５に通常の向きに対して左９０度回転させた表示データが表示される。同様に、ディスプレイ切替設定情報として”０１００”が設定された場合には、図９に示すように、蓋体２の閉時には、表側のディスプレイ２５のみの表示がＯｎとなり、その表側のディスプレイ２５に通常の向きに対して右９０度回転させた表示データが表示される。これにより、蓋体２を閉じた状態で表側のディスプレイ２５を、縦横いずれの向きでも利用することができる。
【００５１】
さらに、ディスプレイ切替設定情報として”０１０１”または”０１１１”が設定された場合には、図１０に示すように、蓋体２の開時において、表裏両側のディスプレイ２５、２６に同一の向きの表示データが同時に表示される。これにより、プレゼンテーションへも好適に利用することができる。
【００５２】
そして、ディスプレイ切替設定情報として”０００１”を設定することで、一般的な片面表示型のディスプレイのように、蓋体２の開時に裏側のディスプレイ２６のみ表示をＯｎにすることができる。
【００５３】
なお、本発明は、上述の図示例にのみ限定されるものではなく、本発明の要旨を逸脱しない範囲内において種々変更を加え得ることは勿論である。
【図面の簡単な説明】
【００５４】
【図１】本発明の一実施形態にかかる情報処理装置の外観を示す斜視図である。
【図２】図１の情報処理装置の蓋体開時の側面図である。
【図３】図１の情報処理装置の蓋体閉時の側面図である。
【図４】図１の情報処理装置の電気的なハードウェア構成を示すブロック図である。
【図５】ディスプレイ切替設定テーブルの例を示す図である。
【図６】図１の情報処理装置での表裏各ディスプレイの表示制御の流れを示す図である。
【図７】蓋体開閉時の表裏各ディスプレイの表示を示す斜視図である。
【図８】蓋体閉時の表側のディスプレイの他の表示例を示す斜視図である。
【図９】蓋体閉時の表側のディスプレイのさらに他の表示例を示す斜視図である。
【図１０】蓋体開時の表側のディスプレイの表示例を示す斜視図である。
【符号の説明】
【００５５】
１…装置本体、２…蓋体、５…操作面、２３…グラフィックコントローラ、２５…表側のディスプレイ、２６…裏側のディスプレイ、３０…ディスプレイ切替設定スイッチ、３１…センサー、４１…ディスプレイ切替設定情報レジスタ、４２…ディスプレイ切替設定テーブルレジスタ、１００…情報処理装置。
【図１】
2005316656.tif 000003
【図２】
2005316656.tif 000004
【図３】
2005316656.tif 000005
【図４】
2005316656.tif 000006
【図５】
2005316656.tif 000007
【図６】
2005316656.tif 000008
【図７】
2005316656.tif 000009
【図８】
2005316656.tif 000010
【図９】
2005316656.tif 000011
【図１０】
2005316656.tif 000012